(57)【要約】  本発明は、耳保護部材４４のための、及び保護ヘルメット１２に固定するための耳保護デバイス１０に関し、前記耳保護デバイス１０は、軸受デバイス（１６、１８）を有するハウジング１４を含み、前記耳保護デバイス１０は、フォーク状の支持ブラケット４８内に回動可能に固定される。本発明では、通信手段が前記ハウジング１４内に配置され、前記軸受デバイスは、少なくとも２つの導電性接触要素（２８、３０）を有する。本発明は更に、通信システム及び保護ヘルメット１２に関する。【選択図】図２
2019506054.tif 000002
【特許請求の範囲】
【請求項１】
保護ヘルメット（１２）上に固定された耳保護部材のための耳保護デバイスであって、
前記耳保護デバイス（１０）は、軸受デバイス（１６、１８）を含むハウジング（１４）を含み、前記軸受デバイス（１６、１８）を介してフォーク状の支持ブラケット（４８）内に回動可能に固定され、
前記ハウジング（１４）の中及び／または上に通信手段が配置され、
前記軸受デバイスは、少なくとも２つの導電性接触要素（２８、３０）を含むことを特徴とする耳保護デバイス。
【請求項２】
請求項１に記載の耳保護デバイスであって、
前記軸受デバイス（１６、１８）は、前記ハウジングと一体的に形成された２つのスピゴットを含み、
前記導電性接触要素（２８、３０）は、前記ハウジングの内部を前記ハウジングの外部に接触する前記スピゴットの開口部から突出することを特徴とする耳保護デバイス。
【請求項３】
請求項２に記載の耳保護デバイスであって、
前記導電性接触要素（２８、３０）は、前記スピゴットの前記開口部が防塵及び／または液密であるように、前記開口部を閉じることを特徴とする耳保護デバイス。
【請求項４】
請求項１〜３のいずれか１項に記載の耳保護デバイスであって、
前記通信手段は、前記耳保護デバイスの中に配置されたスピーカ（２０）を含むことを特徴とする耳保護デバイス。
【請求項５】
請求項１〜４のいずれか１項に記載の耳保護デバイスであって、
前記通信手段は、マイクロフォンアタッチメント（４６）を介して前記耳保護デバイスに配置されたマイクロフォン（２２）を含むことを特徴とする耳保護デバイス。
【請求項６】
請求項１〜５のいずれか１項に記載の耳保護デバイスであって、
前記通信手段は、トランシーバデバイス（２４）を含むことを特徴とする耳保護デバイス。
【請求項７】
請求項６に記載の耳保護デバイスであって、
前記トランシーバデバイス（２４）は、Ｂｌｕｅｔｏｏｔｈ（登録商標）トランシーバであることを特徴とする耳保護デバイス。
【請求項８】
請求項１〜７のいずれか１項に記載の耳保護デバイスであって、
前記通信手段に電力を供給し、前記導電性接触要素（２８、３０）を介して再充電可能であるバッテリ（２６）が、前記ハウジング内に配置されていることを特徴とする耳保護デバイス。
【請求項９】
請求項１〜８のいずれか１項に記載の耳保護デバイスであって、
前記通信手段を制御及び／または監視するための制御要素（３２、３４、３６）及び／または表示要素（３８）が、前記ハウジング（１４）上に提供されることを特徴とする耳保護デバイス。
【請求項１０】
請求項１〜９のいずれか１項に記載の耳保護デバイスと、前記耳保護デバイスが内部に回動可能に取り付けられたフォーク状の前記支持ブラケットとを含む通信システムであって、
前記支持ブラケット（４８）は、前記導電性接触要素（２８、３０）への電気的接続を提供することを特徴とする通信システム。
【請求項１１】
請求項１０に記載の通信システムであって、
前記支持ブラケット（４８）は、前記保護ヘルメット（１２）とは独立したドッキングステーションであることを特徴とする通信システム。
【請求項１２】
請求項１０に記載の通信システムであって、
太陽電池によって電力を供給されるように、ドッキングステーションが構成されていることを特徴とする通信システム。
【請求項１３】
請求項１０に記載の通信システムであって、
前記支持ブラケット（４８）は、前記保護ヘルメット（１２）に取り付けられ、前記保護ヘルメット（１２）の使用中に使用するためのドッキングステーション及び前記支持ブラケットの両方であることを特徴とする通信システム。
【請求項１４】
請求項１〜９のいずれか１項に記載の耳保護デバイスを支持するための少なくとも１つのフォーク状の前記支持ブラケットを含む保護ヘルメットであって、
少なくとも１つの前記支持ブラケット（４８）は、前記保護ヘルメットの使用中に使用するための前記支持ブラケット及びドッキングステーションの両方であることを特徴とする保護ヘルメット。
【請求項１５】
請求項１４に記載の保護ヘルメットであって、
バッテリ（２６）を備え、
前記バッテリ（２６）によって、前記耳保護デバイス（１０）の中及び／または上に配置された前記通信手段に電力が供給可能となるように構成されていることを特徴とする保護ヘルメット。
【請求項１６】
請求項１４または１５に記載の保護ヘルメットであって、
インタフェースを含み、
前記インタフェースを介して電力が供給可能となるように構成されていることを特徴とする保護ヘルメット。
【発明の詳細な説明】
【技術分野】
【０００１】
本発明は、保護ヘルメットに固定されるべき耳保護部材のための耳保護デバイスに関し、耳保護デバイスは軸受デバイスを有するハウジングを含み、耳保護デバイスは軸受デバイスを介してフォーク状の支持ブラケット内に回動可能に固定される。
【０００２】
本発明は更に、通信システム及び保護ヘルメットに関する。
【背景技術】
【０００３】
一般的な耳保護デバイスは、特許文献１より知られている。耳保護デバイスは、保護ヘルメット用の耳保護部材の構成要素を構成し、上述のフォーク状の支持ブラケットは、可傾連結部材及び回転板を介して保護ヘルメットに支持されている。特許文献１において開示される耳保護部材は、耳保護デバイスがヘルメット内の休止位置に回動可能である点で特徴付けられる。
【０００４】
保護ヘルメットの耳保護部材は、例えば工具または機械の騒音などの所望の音が着用者の耳に届くことを防ぐだけでなく、ヘルメットの着用者間のコミュニケーションを困難にもするため、保護ヘルメット及び耳保護部材によって保護された人が、耳保護部材が動作位置に配置されている場合でも、互いにコミュニケーションをとることを可能にする通信手段を提供することは有用である。耳保護部材の保護効果は、それによって損なわれるべきではない。
【先行技術文献】
【特許文献】
【０００５】
【特許文献１】独国特許出願公開第１０２０１００２６９９７号明細書
【発明の概要】
【発明が解決しようとする課題】
【０００６】
本発明の目的は、通信を可能にするが、保護効果を維持する耳保護デバイスを更に発展させることである。特に、邪魔になるケーブル接続は、本開示では回避可能とする。
【課題を解決するための手段】
【０００７】
前記目的は、独立請求項の特徴によって解決される。本発明の有利な実施形態は、従属請求項及び並列の請求項に示される。
【０００８】
本発明は、通信手段がハウジングの中及び／または上に配置され、軸受デバイスが少なくとも２つの導電性接触要素を含む点で、一般的な耳保護デバイスに基づいている。この点で、耳保護デバイスのハウジングは多機能である。一方では、ハウジングは、耳保護デバイスの寸法的に安定した構成要素を構成し、軸受デバイスを介して支持ブラケット内の耳保護デバイスの回動可能な支持を提供し、通信手段を収容し、更に通信手段の動作に不可欠な導電性接触要素のキャリア（部品取付要素）である。
【０００９】
本発明は、軸受デバイスがハウジングと一体的に形成された２つのスピゴットを含む点、及び導電性接触要素がハウジングの内部をハウジングの外部と接続するスピゴットの開口部から突出している点で、特に有用な方法で更に発展する。この構造は、耳保護デバイスのハウジング内に一体的に形成されたスピゴットとして形成された軸受デバイスに、単に穿孔することによって製造することができる。
【００１０】
有用に、導電性接触要素は、スピゴットの開口部を防塵及び／または液密であるように閉じることが企図される。このようにして、耳保護デバイスのハウジング内の電気的構成要素は、有害な環境影響から保護される。
【００１１】
本発明の好適な実施形態では、通信手段は、耳保護デバイス内に配置されたスピーカを含むことが企図されている。このようにして、耳保護デバイスの着用者は、通信システムを介して送信された情報を、着用者の耳で受信することができる。
【００１２】
同様に、通信手段は、マイクロフォンアタッチメントを介して耳保護デバイス上に配置されたマイクロフォンを含む点で特に有用である。マイクロフォンは、耳保護デバイスのキャリアが通信手段に情報を送信することを可能にする。
【００１３】
これに関連して、通信手段がトランシーバデバイスを含むことは特に有用である。通信手段は、これに基づいて、外部から送信された信号を受信し、関連する情報を耳保護デバイス内のスピーカを介して耳保護デバイスの着用者に転送することができる。反対に、通信手段は、通信手段に連結したマイクロフォンから信号を受信する。外部通信手段によって受信可能な関連信号はその後、外部通信手段のトランシーバデバイスによって出力される。
【００１４】
本発明は、トランシーバデバイスがＢｌｕｅｔｏｏｔｈ（登録商標）トランシーバであるという点で特に有利な方法で更に発展する。Ｂｌｕｅｔｏｏｔｈ（登録商標）は、無線技術による近距離のデバイス間のデータ送信のための工業規格である。この送信は双方向であり、干渉の影響を受けないため、本発明による耳保護デバイスに関連する通信システムは、設計上特に快適である。更に、このように高いレベルの安全性が提供されることにより、本発明による耳保護デバイスは、保護ヘルメットによって提供される安全性を促進する。
【００１５】
本発明の好ましい実施形態では、耳保護デバイスは、通信手段に電力を供給し、ハウジング内に提供されている導電性接触要素を介して再充電可能なバッテリにより、更に発展する。したがって、そのような耳保護デバイスは、通信手段に必要とされるすべての構成要素を備えることができる。具体的には、バッテリは、耳保護デバイス内の一時的な電源として提供される。したがって、耳保護デバイス上の導電性接触要素は、充電用接点の機能を利用可能にするだけでよい。
【００１６】
有用に、通信手段を制御及び／または監視するための制御要素及び／または表示要素がハウジング上に提供されることが企図される。制御要素として、具体的には、通信手段をオン／オフするためのボタンを提供することができる。加えて、このボタンは、Ｂｌｕｅｔｏｏｔｈ（登録商標）トランシーバを他のＢｌｕｅｔｏｏｔｈ（登録商標）トランシーバ、例えば他の着用者の耳保護デバイス内に配置されたＢｌｕｅｔｏｏｔｈ（登録商標）トランシーバ、と連結するか、携帯電話または自動車のトランシーバと連結するために役立つ。当然のことながら、別個に設計されたボタンを、この目的のためにハウジング上に配置することができる。更に、制御要素を、スピーカによって出力される音響信号の音量を変更するために提供することができる。また、制御要素を、マイクロフォン感度を調整するために提供することができる。表示要素として、最も単純な場合には、１以上の発光ダイオードを提供することができ、この発光ダイオードは、光信号の色及び／または光信号の時系列などの光信号の手段によって耳保護デバイスのユーザに情報を伝達することができる。
【００１７】
本発明は更に、本発明による耳保護デバイスと、耳保護デバイスがその中に回動可能に支持されたフォーク状の支持ブラケットを含む通信手段に関し、該支持ブラケットは、導電性接触要素への電気的接続を提供する。
【００１８】
これに関連して、支持ブラケットが保護ヘルメットとは独立したドックングステーションであることが考えられる。このようにして利用可能にされたドッキングステーションは、例えば自動車、小物入れ、または任意の他の場所で利用可能にされる。具体的には、ドッキングステーションは、固定式または可動式であるように設計することができる。
【００１９】
有用には、太陽電池によってドッキングステーションに電力が供給されることが企図され得る。太陽電池による電源は、保護ヘルメットの着用者を従来の電源から独立させる。正確には、例えば森林作業または建設現場で保護ヘルメットを必要とする状況では、電源は即座に手に入らないため、太陽電池による電源供給が特に有利である。
【００２０】
支持ブラケットが保護ヘルメットとは独立したドッキングステーションであるという選択肢とは別に、支持ブラケットを保護ヘルメットに取り付けることができ、支持ブラケットは、保護ヘルメットの使用中に使用されるドッキングステーション及び支持ブラケットの両方であるという選択肢もある。この場合、支持ブラケットは全体として、耳保護デバイスと共にヘルメットから取り外され、その後電源に接続されることが企図され得る。同様に、バッテリをヘルメット内の任意の場所に収容することが可能であり、保護ヘルメットのＢｌｕｅｔｏｏｔｈ（登録商標）トランシーバの作動に必要とされる電力は、その後、使用中の耳保護デバイスの電気的接触要素を介してＢｌｕｅｔｏｏｔｈ（登録商標）トランシーバに供給される。同様に、それを介して充電電力及び／またはデータを耳保護デバイスに送信することができる電気的インタフェースを、保護ヘルメットに備えることも可能である。
【００２１】
本発明は更に、本発明による耳保護デバイスを支持するための少なくとも１つのフォーク状の支持ブラケットを含む保護ヘルメットに関し、少なくとも１つの支持ブラケットは、保護ヘルメットの使用中に使用されるドッキングステーション及び支持ブラケットの両方である。
【００２２】
これに関連して、保護ヘルメットに、それにより耳保護デバイスの中及び／または上に配置された通信デバイスに電力を供給することができるバッテリが備えられている点で有利であり得る。
【００２３】
更に、保護ヘルメットは、それを介して電力を供給することができるインタフェースを含む点で有利であり得る。
【００２４】
特に好適な実施形態に基づく添付の図面を参照し、本発明を例として説明する。
【図面の簡単な説明】
【００２５】
【図１】着用者の頭部に配置された、本発明による耳保護デバイスを含む保護ヘルメットの側面図である。
【図２】本発明による耳保護デバイスの側面図である。
【図３】支持ブラケット内の、本発明による耳保護デバイスの側面図である。
【図４】支持ブラケット内の、本発明による耳保護デバイスの内部図である。
【図５】保護ヘルメットの着用の通常の形態に関する前方からの支持ブラケットを含む、本発明による耳保護デバイスの図である。
【図６】保護ヘルメットの着用の通常の形態に関する下方からの支持ブラケットを含む、本発明による耳保護デバイスの図である。
【発明を実施するための形態】
【００２６】
以下の図面の説明において、同一の参照符号は同一または同等の構成要素を示す。
【００２７】
図１は、着用者の頭部上の保護ヘルメット１２を示す。保護ヘルメットは特に、ヘルメットシェル４０と、ハーネス４２と、耳保護部材４４とを含む。耳保護部材４４は、本発明による方法で通信手段を備えた少なくとも１つの耳保護デバイス１０を含む。耳保護デバイス１０の多数の構成要素は、通信手段、具体的にはスピーカ２０、マイクロフォン２２、トランシーバデバイス２４、特にＢｌｕｅｔｏｏｔｈ（登録商標）トランシーバ、及びバッテリ２６に割り当てられ得る。これらの構成要素は、耳保護デバイス１０のハウジングの上または中に配置される。耳保護デバイス１０は、支持ブラケット４８によって支持される。
【００２８】
図２では、トランシーバデバイス２４及びバッテリ２６が耳保護デバイス１０のハウジング１４の内側に配置されていることが、破線によって示されている。マイクロフォン２２は、マイクロフォンアタッチメント４６を介して耳保護デバイス１０のハウジング１４の外側に配置されている。耳保護デバイス１０のハウジング１４の外側には、制御要素（３２、３４、３６）及び表示要素３８が配置されている。制御要素（３２、３４、３６）はボタンである。表示要素３８は発光ダイオードである。ボタンの１つである制御要素３２は、トランシーバデバイス２４をオンにするとともに、トランシーバデバイスがＢｌｕｅｔｏｏｔｈ（登録商標）デバイスである場合には、Ｂｌｕｅｔｏｏｔｈ（登録商標）トランシーバを他の外部Ｂｌｕｅｔｏｏｔｈ（登録商標）トランシーバとペアリングすなわち連結するように機能する。他のボタンである制御要素（３４、３６）は、耳保護デバイス１０のスピーカ２０の音量を変更するために提供される。耳保護デバイス１０のハウジング１４には、更に、好ましくはハウジング１４と一体的に形成されたスピゴットによって実現される軸受デバイス（１６、１８）が提供される。これらのスピゴットには中心孔が提供され、該中心孔から導電性接触要素（２８、３０）が突出し、ハウジングの内部をハウジングの外部に接続する。同時に、これらの開口部は、防塵及び／または液密な方法でスピゴットを閉じる。耳保護デバイスを、具体的には電源と電気的に連結するために、耳保護デバイス１０は、フォーク状の支持ブラケット４８に挿入される。この支持ブラケット４８は、保護ヘルメット１２とは独立したドッキングステーションであってもよい。しかし、支持ブラケットがドッキングステーションであると同時に、保護ヘルメット１２の使用中に使用するための支持ブラケットであることもまた企図され得る。いずれの場合でも、支持ブラケット４８は、耳保護デバイス１０の導電性接触要素（２８、３０）に割り当てられた電気的接点を提供し、この電気的接点を介して耳保護デバイス１０のハウジング１４内のバッテリ２６を充電するための電力が供給される。導電性接触要素は、データを送信する役割を果たすことも可能である。これは、例えば、トランシーバデバイスがハウジング１４の内部に配置されていないが、外部に配置されている場合に企図される。更なる選択肢では、導電性接触要素（２８、３０）は耳保護デバイス１０内の構成要素への電力送達を行うが、バッテリは耳保護デバイス１０の外側に配置されている。
【００２９】
通信システムをそのように提供することにより、様々な通信動作を実現することができる。例えば、２つの耳保護デバイスを関連する通信システムと直接連結することができ、これにより、耳保護デバイス間または耳保護デバイスの着用者間の直接通信を、耳保護デバイスを介して行うことができる。更に、例えば自動車または携帯電話のＢｌｕｅｔｏｏｔｈ（登録商標）機能を介して、耳保護デバイスを任意のトランシーバデバイスと連結することができる。携帯電話と連結した場合は特に、耳保護デバイスのキャリアは、耳保護デバイスを使用しながら電話を開始する、または受けることができる。同様に、耳保護デバイスの２人の着用者間の通信範囲を拡大することができる。一方では、当然のことながら、両方の耳保護デバイスを異なる電話機と連結することによって、及び、２つの電話機間の電話接続と、電話機及び耳保護デバイスの間のそれぞれのＢｌｕｅｔｏｏｔｈ（登録商標）データ接続とを介して実施される通信によって、通信範囲の拡大が可能である。しかし、例えば、１つの携帯電話を２つの耳保護デバイスと連結することも可能である。この携帯電話が両方の耳保護デバイスの範囲内にある場合、それぞれの耳保護デバイスの着用者は互いに通信することができるが、それらの耳保護デバイス間の距離は、耳保護デバイス間の直接通信がもはや不可能であるような距離である。
【００３０】
上記の説明、図面及び特許請求の範囲に開示された本発明の特徴は、個々に、及び任意の組み合わせの両方で、本発明の実現のために重要であり得る。
【符号の説明】
【００３１】
１０  耳保護デバイス
１２  保護ヘルメット
１４  ハウジング
１６  軸受デバイス
１８  軸受デバイス
２０  スピーカ
２２  マイクロフォン
２４  トランシーバデバイス
２６  バッテリ
２８  導電性接触要素
３０  導電性接触要素
３２  制御要素
３４  制御要素
３６  制御要素
３８  表示要素
４０  ヘルメットシェル
４２  ハーネス
４４  耳保護部材
４６  マイクロフォンアタッチメント
４８  支持ブラケット
【図１】
2019506054.tif 000003
【図２】
2019506054.tif 000004
【図３】
2019506054.tif 000005
【図４】
2019506054.tif 000006
【図５】
2019506054.tif 000007
【図６】
2019506054.tif 000008
【国際調査報告】
2019506054.tif 000009
2019506054.tif 000010
2019506054.tif 000011
2019506054.tif 000012